(57)【要約】【課題】軽く、嵩張らず、水管理が不要で長距離輸送できる根付き植物輸送方法および根付き植物密封包袋を提供することにある。【解決手段】高分子フィルム袋１０内に、培地である微多孔質焼成体１１に根付いた根付き植物２０を真空パックした。【選択図】  図１
2004168364.tif 000002
【特許請求の範囲】
【請求項１】
高分子フィルム袋内に根付き植物を真空パックした後、輸送することを特徴とする根付き植物の輸送方法。
【請求項２】
高分子フィルム袋内に培地に根付いた根付き植物を真空パックした後、輸送することを特徴とする根付き植物の輸送方法。
【請求項３】
高分子フィルム袋内に、根付き植物を真空パックしたことを特徴とする根付き植物密封包袋。
【請求項４】
高分子フィルム袋内に、培地に根付いた根付き植物を真空パックしたことを特徴とする根付き植物密封包袋。
【請求項５】
前記培地が、微多孔質体であることを特徴とする請求項４に記載の根付き植物密封包袋。
【請求項６】
前記微多孔質体が、養水分を含んだ連続気泡型プラスチックフォームであることを特徴とする請求項５に記載の根付き植物密封包袋。
【請求項７】
前記連続気泡型プラスチックフォームが、真空パックしたときに変形しない硬質筒体に挿入されていることを特徴とする請求項６に記載の根付き植物密封包袋。
【請求項８】
前記連続気泡型プラスチックフォームが、真空パックしたときに変形しない硬質プラスチックフォームであることを特徴とする請求項６に記載の根付き植物密封包袋。
【請求項９】
前記微多孔質体が、養水分を含んだ微多孔質焼成体であることを特徴とする請求項５に記載の根付き植物密封包袋。
【請求項１０】
前記培地が、筒体であることを特徴とする請求項４ないし９のいずれか１項に記載の根付き植物密封包袋。
【請求項１１】
前記高分子フィルム袋が透光性を有していることを特徴とする請求項３ないし１０のいずれか１項に記載の根付き植物密封包袋。
【発明の詳細な説明】
【０００１】
【発明の属する技術分野】
本発明は、根付き植物を輸送する際に使用する根付き植物の輸送方法および根付き植物密封包袋に関する。
【０００２】
【従来の技術】
従来、根付き植物を輸送する場合には、例えば、樹脂製鉢（例えば、ポリポットなど）に土付き植物を入れ、段ボール箱に前記樹脂製鉢を詰めて輸送していた（例えば、特許文献１参照。）。また、土を使わない植物、例えば、水耕栽培植物の場合でも、土の代りに粘土の燒結体（例えば、クレイボール・セラミスなど）を入れた鉢に植物を植え込み、これを箱詰めして輸送していた。さらに、外国から根付き植物を輸入する場合には、土の代りにピートモスあるいは吸水性のウレタンに発根させた植物を箱詰めして輸入していたので、輸入できる根付き植物は特殊な植物に限られていた。
【０００３】
【特許文献１】
特開平１１−２９２１７６号公報  図７〜図１０
【０００４】
【発明が解決しようとする課題】
しかしながら、前述のいずれの輸送方法も植物の葉が広がっているので、輸送時の振動等で植物同士が擦れあって傷つきやすいだけでなく、輸送に大きな空間を必要とし、嵩張るとともに、輸送時の振動等で土等がこぼれやすかった。また、輸送重量の大半は土等の重量であり、根付き植物の輸送としては極めて効率が悪かった。さらに、輸送中に水と土とがしみ出る危険性があることから、トラック等に混載することが嫌われ、専用トラックが必要となるので、通常ルートでの輸送が困難であった。同様に、土を使わないで栽培する植物であっても水がしみ出る危険性があることから、トラック等への混載が嫌われることがあった。また、外国から根付き植物を輸入する場合には、検疫のため、土を一緒に輸入することができず、長期間、水分を補給できないことから、事実上、根付き植物の輸入は極めて困難であった。
【０００５】
また、輸送後、販売店に到着した直後から店頭に陳列している間も給水が不可欠であり、水の管理に手間がかかった。さらに、植物の葉が広がっているので、大きな陳列スペースを必要とした。
【０００６】
さらに、エンドユーザーが購入して持ち帰る際には、嵩張るだけでなく、土等も一緒に持ち帰らなければならないので、重く、土等がこぼれるという問題点があった。
【０００７】
本発明は、軽く、嵩張らず、水管理が不要で長距離輸送できる根付き植物輸送方法および根付き植物密封包袋を提供することを目的とする。
【０００８】
【課題を解決するための手段】
本発明にかかる根付き植物の輸送方法は、前記目的を達成すべく、高分子フィルム袋内に根付き植物を真空パックした後、輸送する方法である。また、高分子フィルム袋内に培地に根付いた根付き植物を真空パックした後、輸送する方法であってもよい。
【０００９】
本発明によれば、植物の真空パック時に高分子フィルム袋内の空気が抜かれているので、輸送時に嵩張らず、土を必要としないので、軽く、土がこぼれる心配もない。また、長期間、給水する必要がないので、水管理が不要であるとともに、長距離輸送が可能となる。
【００１０】
また、輸送後、販売店に到着した直後から店頭に陳列している間も給水が不要であり、水の管理に手間がかからないとともに、大きな陳列スペースが不要となる。
【００１１】
さらに、エンドユーザーが購入して持ち帰る際にも、嵩張らないとともに、土等が不要であるので、軽く、土等がこぼれるという心配がない。
【００１２】
本発明にかかる根付き植物密封包袋は、前記目的を達成すべく、高分子フィルム袋内に、根付き植物を真空パックした構成としてある。特に、高分子フィルム袋内に、培地に根付いた根付き植物を真空パックした構成であってもよい。
【００１３】
本発明によれば、植物の真空パック時に高分子フィルム袋内の空気が抜かれているので、輸送時に嵩張らないとともに、土を必要としていないので、軽く、土がこぼれる心配もない。また、長期間、給水する必要もないので、長距離輸送が可能となり、水管理が不要である。
【００１４】
また、輸送後、販売店に到着した直後から店頭に陳列している間も給水が不要であり、水の管理に手間がかからないとともに、大きな陳列スペースが不要である。
【００１５】
さらに、エンドユーザーが購入して持ち帰る際には、嵩張らず、土が不要であるので、軽く、土等がこぼれるという心配のない根付き植物密封包袋を得られるという効果がある。
【００１６】
本発明の実施形態としては、前記培地が微多孔質体、例えば、養水分を含んだ連続気泡型プラスチックフォーム、あるいは、養水分を含んだ微多孔質焼成体であってもよい。特に、前記連続気泡型プラスチックフォームは、真空パックしたときに変形しない硬質筒体に挿入されていてもよく、あるいは、真空パックしたときに変形しない硬質プラスチックフォームであってもよい。
【００１７】
本実施形態によれば、微多孔質体が植物に養水分を供給できるので、輸送，陳列中に給水する必要がなく、長距離を輸送できるとともに、陳列の際における水管理が不要となる。
【００１８】
さらに、別の実施形態としては、前記培地が、筒体であってもよい。本実施形態によれば、培地の筒体の内周面に根付いた植物の根が保護される。
【００１９】
別の実施形態としては、前記高分子フィルム袋が、無色透明、有色透明および半透明のように透光性を有していてもよい。
本実施形態によれば、密封した植物の種類や生育状況をチェックしやすいだけでなく、密封された植物がわずかながらも光合成を行って生育でき、長期間、密封状態を確保できるという効果がある。
【００２０】
【発明の実施の形態】
本発明にかかる実施形態を図１の添付図面に従って説明する。
本発明にかかる実施形態は、高分子フィルム袋１０内に、培地である筒状微多孔質焼成体１１に根付いた植物２０を真空パックした場合である。
【００２１】
高分子フィルム袋１０は、水分が透過しにくく、空気の透過が可能なものが好ましい。また、高分子フィルム袋１０は、例えば、無色透明，有色透明，半透明のように透光性を有するもの、あるいは、光を完全に遮へいできるものであってもよく、輸送する根付き植物に応じて選択できる。さらに、高分子フィルム袋１０は、脱気後に開放口をヒートシールしてもよいが、脱気後の空気の流入を防止する逆止弁を有するものであってもよく、また、密封用チャク付きのものであってもよい。
【００２２】
培地である筒状微多孔質焼成体１１は、植物の根付いた根を保護するとともに、養水分を供給するためのものである。培地が前記筒状微多孔質焼成体１１で構成されている本実施形態では、その上端開口縁部に支持リング１２を装着してある一方、その下端開口縁部に圧入キャップ１３を介して給水ヒモ１４を取り付けてある。前記給水ヒモ１４は毛細管現象で養水分を吸い上げて前記筒状微多孔質焼成体１１に供給するものである。
【００２３】
培地は前述の微多孔質焼成体１１に限らず、連続気泡型プラスチックフォーム単体、あるいは、硬質筒体内に挿入された連続気泡型プラスチックフォームからなる微多孔質体であってもよい。特に、連続気泡型プラスチックフォーム単体で使用する場合には、真空パックする際の圧縮力から植物の根を保護できる剛性を有するものが好ましい。
【００２４】
なお、長距離輸送を必要としない場合には、例えば、根付き植物だけを高分子フィルム袋内に密封してもよく、あるいは、湿らせた不織布を培地とし、これに根付かせて輸送してもよい。
【００２５】
植物は、その根が前記筒状微多孔質焼成体の内周面に沿って根付くようにしたもの、例えば、ドラセナ・サンデリア，コーヒーノキ，テーブルヤシ，ヘデラ，クロトン，シンクレラ，ドラセナ・コンシンナ，シルクジャスミンなどが挙げられる。
【００２６】
真空パックの方法としては、例えば、高分子フィルム袋内の空気を脱気した後、その開放口をヒートシールする方法が挙げられる。脱気の方法は既存の方法を利用でき、例えば、高分子フィルム袋内から空気を直接吸引して脱気してもよく、あるいは、真空装置内に高分子フィルム袋を入れ、装置内の空気を脱気した後、密封してもよい。
【００２７】
【実施例】
外径１４ｍｍ、内径９ｍｍ、長さ４５ｍｍの円筒形セラミック内に根を根付かせたドラセナ・サンデリア，コーヒーノキ，テーブルヤシ，ドラセナ・コンシンナを、巾１３０ｍｍ、長さ３００ｍｍ、厚さ０．０５ｍｍのＮＹ／ＰＥ（外側ナイロン／内側ポリエチレン）製の高分子フィルム袋内にそれぞれ挿入した。このとき、前記円筒形セラミックは長さ３０ｍｍであり、ＰＶＡ（ポリビニルアルコール）製の給水ヒモを備え、含水率は重量比で１９％であった。
【００２８】
ついで、株式会社古川製作所製の真空パック装置（型式  ＦＶＣＩＩ−Ｇ）内に入れ、高分子フィルム袋の開放口をヒートシール部に位置決めした。そして、蓋を閉じると同時に減圧する一方、高分子フィルム袋の上下面を発泡ウレタン樹脂で押圧し、植物の損傷を防止しつつ、装置内の空気を効率良く脱気した。気圧を−０．０８ＭＰａに減圧した後、ヒートシール部で開放口を熱溶着して密封した。
【００２９】
密封後、１７日、２８日、３４日経過後にそれぞれ開封し、給水ヒモを水に浸漬して給水し、生育状況を観察したところ、前記植物が通常通りに生育することを確認できた。
【００３０】
【発明の効果】
本発明は、植物の輸送時には高分子フィルム袋内の空気が抜かれているので、嵩張らず、土を必要としていないので、軽く、土等がこぼれる心配もない。また、長期間、給水する必要もないので、水管理が不要な根付き植物の輸送方法および根付き植物密封包袋を得られるという効果がある。
【図面の簡単な説明】
【図１】本発明にかかる実施形態を示す分解斜視図である。
【符号の説明】
１０…高分子フィルム袋、１１…微多孔質焼成体、１２…支持リング、１３…圧入キャップ、１４…給水ヒモ、２０…植物。
【図１】
2004168364.tif 000003